(57)【要約】      （修正有）【課題】ペット犬のストラップにおいて、胸抱き式、斜め掛け式又は手提げ式となり、さらには牽引方式にもなる多機能なペットストラップ構造を提供する。【解決手段】ペットストラップ構造１００は、布体１と、第１調整ストラップ１０と、第２調整ストラップ２０と、第１接続ベルト３０と、第２接続ベルト４０と、から構成され、本考案の第１好適実施例は、更に第３接続ベルト５０を更に含むことができ、そのうち、布体１は、複数の孔１５，１６，１７，１８を開設し、各孔は、ペットの肢体を通過させ、且つ布体１は、矩形であることができ、その他の適切な形状であることもできる。第１調整ストラップ１０は、第１端１１及び第２端の間に固定され、第２調整ストラップ２０が第３端１３及び第４端の間に固定される。【選択図】図１
0003178359.tif 000002
【実用新案登録請求の範囲】
【請求項１】
布体と、第１調整ストラップ及び第２調整ストラップと、第１接続ベルト及び第２接続ベルトと、を含み、
前記布体は、複数の孔を開設し、各孔がペットの肢体を通過することに用い、該布体が第１短、第２端、第３端及び第４端を有し、
前記第１調整ストラップが該第１端及び第２端の間に固定され、該第２調整ストラップが該第３端及び第４端の間に固定され、
前記第１接続ベルトが該布体の第１相対側辺の間に固定され、該第２接続端が該布体の第２相対側辺の間に固定されるペットストラップ構造。
【請求項２】
前記布体が頭端及び尾端を有し、該布体がペットを覆う時、ペットの頭部が該布体の頭端に向き且つペットの尾部が該布体の尾端に向き、該第１端及び第３端が該頭端の相対側辺に接近し、該第２端及び第４端が該尾端の相対側辺に接近する請求項１に記載のペットストラップ構造。
【請求項３】
前記布体が該第２端及び第４端の間に開口を設け、ペットの排泄に便利である請求項１に記載のペットストラップ構造。
【請求項４】
前記第１調整ストラップが第１長ストラップ及び第１短ストラップを含み、該第１長ストラップの一端が該布体の第１短に固定され、該第１短ストラップの一端が該布体の第２端に固定され、該第１長ストラップの他端及び該第１短ストラップの他端が該第１調整ストラップのストラップ長さを調整することに用いる請求項１又は請求項２に記載のペットストラップ構造。
【請求項５】
前記第２調整ストラップは、第２長ストラップ及び第２短ストラップを含み、該第２長ストラップの一端が該布体の第３端に固定され、該第２短ストラップの一端が該布体の第４端に固定され、該第２長ストラップの他端及び該第２短ストラップの他端が該第２調整ストラップのストラップ長さを調整することに用いる請求項１又は請求項２に記載のペットストラップ構造。
【請求項６】
前記第１短ストラップの他端は、該第１長ストラップ上の該布体付近の第１端に位置する時、該第１長ストラップの他端は、牽引ベルトの長さである請求項４に記載のペットストラップ構造。
【請求項７】
前記第２短ストラップの他端は、該第２長ストラップの該布体付近の第３端に位置する時、該第２長ストラップの他端の長さが牽引ベルトの長さである請求項５に記載のペットストラップ構造。
【請求項８】
更に、第１締結ベルトを含み、該第１締結ベルトが該第１調整ストラップの該第１端付近の端部及び該第２調整ストラップの該第３端付近の端部を締結することに用いる請求項１に記載のペットストラップ構造。
【請求項９】
更に、第２締結ベルトを含み、該第２締結ベルトが該第１調整ストラップの該第２端付近の端部及び該第２調整ストラップの該第４端付近の端部を締結することに用いる請求項１に記載のペットストラップ構造。
【請求項１０】
前記第１締結ベルト又は第２締結ベルトが互いに組み合わさることができる雄雌マジックテープ（登録商標）である請求項８又は請求項９に記載のペットストラップ構造。
【請求項１１】
更に、該布体及びペットの間に移動可能に設置されるパッドを含む請求項１に記載のペットストラップ構造。
【請求項１２】
更に、第３接続ベルトを含み、該第３接続ベルトが該布体の相対側辺の間に固定される請求項１に記載のペットストラップ構造。
【請求項１３】
前記布体が頭端及び尾端を有し、該布体にペットを覆わせる時、ペットの頭部が該布体の頭端に向き且つペットの尾部が該布体の尾端に向き、該第１接続ベルトが該頭端に接近し、該第３接続ベルトが該尾端に接近する請求項１２に記載のペットストラップ構造。
【請求項１４】
前記第１接続ベルト、第２接続ベルト又は第３接続ベルトが相互に組み合わさることができる雄雌マジックテープ（登録商標）である請求項１又は請求項１２に記載のペットストラップ構造。
【請求項１５】
前記第１接続ベルト、第２接続ベルト又は第３接続ベルトが相互に嵌合できる雄雌嵌合部材である請求項１又は請求項１２に記載のペットストラップ構造。
【考案の詳細な説明】
【技術分野】
【０００１】
本考案は、外出用のペットストラップ構造に関する。
【背景技術】
【０００２】
社会生活水準の向上に伴い、益々ペットが多くなり、犬の鎖等は、外出散歩常用の用具であるが、既存の犬の鎖の機能は、単一であり、且つ使用に不便であり、ペットの種類、体型、雄雌の違いに応じて設計されていない。また、人々は、ペットと散歩に出る時、時々繋ぎ止めておかない等の要因により容易にペットに脱走され、一定時間で発見できなければ、ペットは、容易に失踪し、車両事故の傷害を発生する。また、公園又は街路上で凶暴で鎖に繋がれていない大型犬に遭遇し、自分の家のペットが該大型犬により傷害を受け易く、飼い主が多くの時間を用い、優しく撫で、傷ついたペットを面倒見る必要が生じ、飼い主及びペットに不便及び困難をもたらす。
【先行技術文献】
【特許文献】
【０００３】
【特許文献１】特開２００６−８１４０３号公報
【考案の概要】
【考案が解決しようとする課題】
【０００４】
本考案の目的は、上記の問題を解決し、多用途を有するペットストラップ構造を提供することにあり、それは、布体と、２つの調整ストラップと、少なくとも２つの接続ベルトから構成され、そのうち、該布体は、複数の孔を開設し、各孔は、ペットの肢体を通過させることに用い、且つ該布体が頭端及び尾端を有し、該布体にペットを覆わせる時、ペットの頭部が該布体の頭端に向き且つペットの尾部が該布体の尾端に向く。該調整ストラップは、それぞれ長ストラップ及び短ストラップを含み、該長ストラップの他端及び該短ストラップの他端は、該第１調整ストラップのストラップ長さを調整することに用い、胸抱き式、斜め掛け式又は手提げ式の携帯ペットを形成し、外出させることに用いる。また、該短ストラップの他端が該長ストラップ上の該布体付近の一端に位置する時、該長ストラップの他端の長さが牽引ベルトの長さとなり、一般の犬の鎖の牽引ベルト方式を形成し、ペットを連れて散歩外出することができる。
【課題を解決するための手段】
【０００５】
また、本考案は、更に、少なくとも２つの締結ベルトを含み、該調整ストラップの端部を締結し、該接続ベルトと合わせれば、ペットが跳ね動いて該布体の被覆を不完全にし、肩に受ける力が不均一となる虞を回避することができ、そのうち、該接続ベルトは、相互に合わさる雄雌マジックテープ（登録商標）又は相互に嵌合する雄雌嵌合部材であることができる。本考案の布体は、更に、尾端に開口を設け、ペットの排泄に便利であり、該布体及びペットの間にパッドを移動可能に設置し、ペットを覆わせ、より快適に安定させる。
【考案の効果】
【０００６】
本考案のペットストラップ構造の利点は、ペットの種類、体型及び雄雌の違いにより設計を調整でき、例えば、ブルドッグ及びプードルの胸囲は異なるが、これに応じて異なる広さの布体を設計でき、且つ季節気候の区分に応じて厚い又は薄い布料を分けることができる。また、本考案の布体の尾端に開口を設け、ペットの排泄に便利であり、該開口は、ペットの性別の違いによりその設置の位置も異なることができる。また、本考案のペットストラップ構造は、ペットを繋いで外出することに便利であり、ペットが用を足したい時、随時ペットをおろし、用を足させることができ、また、牽引ベルトで牽引し、失踪又は事故にある危険を回避することができる。且つ牽引ベルトで引いて散歩する時、大型犬に遭遇し、使用者のペットに対し、凶暴に向かってくる時、手提げ式でペットを簡単に提げることができ、該大型犬により傷害されることを回避する。本考案のペットストラップ構造が前記手提げ式で使用する時、ペットの骨折を起こすことなく、不快感をもたらすことがない。平坦でなく、障害物の多い歩道又は街路に遭遇する時は、斜め掛け式又は胸抱き式でペットを携帯することもでき、ストラップがペットの重量を均等に分散させ、圧迫により不快的を生じることがない。且つ別途接続ベルトを有し、大きさ長さを調整でき、ペットの体型に合わせて効率的にペットの身体を固定でき、外側の締結ベルトは、エラスティック、フック又はマジックテープ（登録商標）であることができ、牽引ベルトを固定し、ペットの身体の動きを効率的に束縛することに用いることができる。この他、本考案は、操作が簡単で緩め易い特性を有し、以上は、何れも本考案の優れた効能である。
【図面の簡単な説明】
【０００７】
【図１】本考案のペットストラップ構造の説明図である。
【図２】本考案のペットストラップ構造の斜め掛け式使用状態参考図である。
【図３】本考案のペットストラップ構造の胸抱き式使用状態参考図である。
【図４】本考案のペットストラップ構造の手提げ式使用状態参考図である。
【図５】本考案のペットストラップ構造の牽引ベルト式使用状態参考図である。
【考案を実施するための形態】
【０００８】
添付図面、実施例の詳細な説明及び特許請求の範囲に合わせ、上記及び本考案のその他の目的及び利点を以下に詳細に説明する。しかしながら、図面は、単に本考案の精神を解説することに用いるものであり、本考案の範疇の定義とするものではない。本考案範疇の定義については、特許請求の範囲を参照されたい。
【０００９】
先ず、図１を参照し、それは、本考案のペットストラップ構造の説明図である。図１は、ペットストラップ構造を表示する正面説明図である。本考案の好適実施例において、ペットストラップ構造１００は、布体１と、第１調整ストラップ１０と、第２調整ストラップ２０と、第１接続ベルト３０と、第２接続ベルト４０と、から構成され、本考案の第１好適実施例は、更に第３接続ベルト５０を更に含むことができ、そのうち、布体１は、複数の孔１５，１６，１７，１８を開設し、各孔は、ペットの肢体を通過させ、且つ布体１は、矩形であることができ、その他の適切な形状であることもできる。布体１は、第１端１１、第２端１２、第３端１３及び第４端１４を有する。また、該布体１は、頭端及び尾端を有し、該布体１がペットを覆う時、ペットの頭部が布体１の頭端に向き、ペットの尾部が布体１の尾端に向き、該第１端１１及び第３端１３が該頭端の相対側辺に接近し、該第２端１２及び該４端１４が該尾端の相対側辺に接近する。第１調整ストラップ１０は、第１端１１及び第２端の間に固定され、第２調整ストラップ２０が第３端１３及び第４端の間に固定される。第１接続ベルト３０が布体１の第１相対側辺の間に固定され、第２接続ベルト４０が布体１の第２相対側辺の間に固定され、そのうち、第１接続ベルト３０、第２接続ベルト４０及び第３接続ベルト５０がそれぞれ祖語に合わさる雄雌接続部材３０１，３０２；４０１，４０２及び５０１，５０２であり、好適には、マジックテープ（登録商標）又は相対するフック部材である。
【００１０】
本考案のペットストラップ構造１００は、更に第１締結ベルト６０及び第２締結ベルト７０を含む。第１締結ベルト６０は、該第１調整ストラップ１０の第１端１１に近い端部及び第２調整ストラップ２０の該第３端１３に近い端部を締結することに用いる。第２締結ベルト７０は、該第１ストラップ１０の第２端１２に近い端部及び第２調整ストラップ２０の第４端１４に近い端部を締結することに用い、そのうち、第１締結ベルト６０又は第２締結ベルト７０は、相互に組み合わさることができる雄雌マジックテープ（登録商標）又はフックと繋ぎ縄の組み合わせである。また、布体１は、該第２端１２及び第４端１４間に開口１９を設け、ペットの排泄に便利であり、特に、雄のペットに便利である。
【００１１】
図２を参照し、それは、本考案のペットストラップ構造の斜め掛け式の使用状態参考図である。本考案のペットストラップ構造１００の第１調整ストラップ１０は、更に、第１長ストラップ１０１及び第１短ストラップ１０２を含み、第１長ストラップ１０１の一端が布体１の第１端１１に固定され、第１短ストラップ１０２の一端が布体１の第２端１２に固定され、そのうち、第１長ストラップ１０１の他端及び該第１短ストラップ１０２の他端が該第１調整ストラップのストラップ長さを斜め掛け式の長さに適するように調整することに用いる。並びに第２調整ストラップ２０を同期調整し、第２調整ストラップ２０が更に第２長ストラップ２０１及び第２短ストラップ２０２を含み、第２長ストラップ２０１の一端が布体の第３端１３に固定され、第２短ストラップ２０２の一端が布体１の第４端１４に固定され、第２長ストラップ２０１の他端及び第２短ストラップ２０２の他端が該第２調整ストラップ２０のストラップ長さを前記第１調整ストラップ１０の斜め掛け式に適した長さと同一に調整することに用いる。
【００１２】
上記のように、本考案のペットストラップ構造１００の布体１は、ペット身体下に置かれ、ペットの４本の肢体がそれぞれ布体１上の孔１５，１６，１７，１８を通過する。第１接続ベルト３０、第２接続ベルト４０及び第３接続ベルト５０は、それぞれペットの胸部、腹部、尾端を安定固定し、また、第１締結ベルト６０及び第２締結ベルト７０は、ペットの体型に合わせ、ペットの身体をより安定させ、動かないようにし、これにより街路において斜め掛け式でペットを随時掛けて歩くことができる。
【００１３】
同時に図３を参照し、それは、本考案のペットストラップ構造の胸抱き式の使用状態参考図であり、それは、第１長ストラップ１０１の他端及び該第１短ストラップ１０２の他端を調整することにより、該第１調整ストラップ１０のストラップ長さを胸抱き式の長さに調整する。並びに第２長ストラップ２０１の他端及び第２短ストラップ２０２の他端を同期調整し、該第２調整ストラップ２０のストラップ長さを前記第１調整ストラップ１０の胸抱き式の長さと同一に調整し、該胸抱き式は、幼いペットを斜め掛け式よりも更に安定して飼い主の胸前に貼付させることに使用でき、十分な安全感をもたらす。同時に、飼い主が人ごみ又は喫煙者がいる場所にいる時、ペットを連れて外出することに便利であり、斜め掛け式使用時にペットが容易に人ごみに押されるか、手肘が衝突し（例えば、喫煙者）、傷つけられることを回避する。
【００１４】
図４を参照し、それは、本考案のペットストラップ構造の手提げ式の使用状態の参考図であり、第１長ストラップ１０１の他端及び該第１短ストラップ１０２の他端を調整することにより、該第１調整ストラップ１０のストラップ長さを手提げ式の長さに短縮する。並びに第２長ストラップ２０１の他端及び第２短ストラップ２０２の他端を同期調整し、該第２調整ストラップ２０のストラップ長さを前記第１調整ストラップ１０の手提げ式に適する長さと同一に短縮し、該手提げ式は、飼い主が突発的状況に遭遇した時に便利であり、ペットが危険な状況から迅速に離脱することができる。
【００１５】
図５を参照し、それは、本考案のペットストラップ構造の牽引ベルト式の使用状態の参考図である。本考案のペットストラップ構造１００の第１短ストラップ１０２の他端が第１長ストラップ１０１上の該布体１付近の第１端１１に位置する時、該第１長ストラップ１０１の他端の長さが牽引ベルトの長さになる。並びに第２短ストラップ２０２の他端が第２長ストラップ２０１上の布体１付近の第３端１３に位置するよう同期調整する時、該第２長ストラップ２０１の他端の長さが前記第１長ストラップ１０１の牽引ベルト式に適する長さと同一であり、該牽引ベルト式の使用は、一般の犬の鎖方式でペットを連れて散歩に出ることに便利であり、前記手提げ式の使用と組み合わせ、大型犬が使用者のペットに凶暴に向かってくる時、簡単に手提げ式によりペットを提げ、該大型犬により傷つけられることを回避することができる。
【００１６】
本考案のペットストラップ構造は、更に、該布体及びペットの間に移動可能に設置するパッドを含み（図示せず）、ペットに被せ、より快適に安定させ、例えば、介護が必要な高齢なペットに冬に綿パッドを用い、夏に清涼で通気性のあるパッドを用い、強化された柔軟な保護パッドを提供することができ、ペットを摩擦し、脱毛することを回避することができる。
【００１７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１８】
１００  ペットストラップ構造
１  布体
１０１  第１長ストラップ
１０２  第１短ストラップ
１１  第１端
１２  第２端
１３  第３端
１４  第４端
１５，１６，１７，１８  孔
１９  開口
２０  第２調整ストラップ
２０１  第２長ストラップ
２０２  第２端ストラップ
３０  第１接続ベルト
４０  第２接続ベルト
５０  第３接続ベルト
３０１，３０２  雄雌接続部材
４０１，４０２  雄雌接続部材
５０１，５０２  雄雌接続部材
６０  第１締結ベルト
７０  第２締結ベルト
【図１】
0003178359.tif 000003
【図２】
0003178359.tif 000004
【図３】
0003178359.tif 000005
【図４】
0003178359.tif 000006
【図５】
0003178359.tif 000007